(57)【要約】      （修正有）【課題】衣服装着時以外は内容の識別しやすいカード立てとして使用できるカード立て兼用カフスボタンを提供する。【解決手段】カフスボタンの装飾部３もしくは、留め具の上部に切り込み５を１ヶ所又は、複数設けることによりカード類を差し込め、立てられるようにする。また、その切り込み５はカフスボタンを水平面に設置したときに垂直面に対し、傾斜して設ける。更に、カフスボタンの装飾部３に文字、図柄、写真、色等の装飾を入れる。以上のことにより、識別のしやすいカード立てとして使用でき、かつカフスボタンの紛失も防止できる。【選択図】図４
0003144492.tif 000002
【実用新案登録請求の範囲】
【請求項１】
カフスボタンの装飾部もしくは、留め具の上部に切り込みを１ヶ所又は、複数設けられているカード立て兼用カフスボタン。
【請求項２】
前記切り込みがカフスボタンを水平面に設置したときに垂直面に対して
傾斜が設けられていることを特徴とする前項１記載のカード立て兼用カフスボタン。
【請求項３】
装飾部に文字、図柄、写真、色等の装飾を入れることを特徴とする、請求項１又は請求項２のカード立て兼用カフスボタン。
【考案の詳細な説明】
【技術分野】
【０００１】  本考案は、シャツの袖口に装飾品として取り付けられるカフスボタンでありながら、名札、名刺、写真などのカード状の物を立てられるよう切り込みを設けた、カード立て兼用のカフスボタンに関するものである。
【背景技術】
【０００２】  従来は、ワイシャツやブラウス等の袖口に形成されたスリット状のボタン穴に差込み、袖口を留め、更に、装飾効果を発揮するカフスボタンが知られているが、従来のカフスボタンは袖口を留める、装飾品としての役割しか果たさない。  そのカフスボタンは、カード立てとは別々のものとして使用されてきた。
【考案の開示】
【考案が解決しようとする課題】
【０００３】カフスボタンとカード立てを別々に購入することは経済的に負担である。  また、カフスボタンを衣服に着用していない時間、期間を有効に使用しておらず、小さな装身具であることから紛失しやすいものである。  また、カード立てによってはカードに記載された内容の識別が難しい場合があり、更に、機能を果たすのみで簡素であった。  従って、カフスボタンの機能とカード立ての機能を一体化することにより、衣服への着用時以外の有効な使用が可能となり、また、切り込みに傾斜を設け、装飾部に装飾を施すことにより、前述の欠点を解決しようとするものである。
【課題を解決するための手段】
【０００４】  本考案は以下の各項により、問題点を解決している。
（１）カフスボタンの装飾部もしくは、留め具の上部に切り込みを１ヶ所又は、複数設けることにより、カード類を差し込め、立てられるようにすること。
（２）前記切り込みはカフスボタンを水平面に設置したときに垂直面に対し、傾斜して設けられていること。
（３）前記カフスボタンの装飾部に文字、図柄、写真、色等の装飾を入れること。
【考案の効果】
【０００５】（１）上述のように本考案のカード立て兼用カフスボタンは、従来のカフスボタンの使い心地や装着の容易さは勿論のこと、カード類が立てられるように装飾部もしくは、留め具の上部に切り込み１ヶ所又は、複数を設けたのでカフスボタンをシャツやブラウスに装着していない時間や期間を名札、名刺、写真等のカード類を立てられるカード立てとして有効的に使用できる。更に、一つのカフスボタン又は、一対以上のカフスボタンに一枚のカフスボタンよりも大きいカード類を差し込み、立てることにより、目印となり、紛失防止として役立つ。  また、一対以上のカフスボタンに一枚のカードを立てるとより安定し、装飾部が複数となることで装飾の効果が高まる。
（２）カード立てとなる切り込みが水平面に設置したときに垂直面に対して傾斜するよう設けたので、差し込むカード等に記載されている文字、絵などの図柄、写真、色等の装飾が容易に識別できるようになる。
（３）差し込むカード等の文字、絵などの図柄、写真、色等の装飾と同じ又は、一体感を与える装飾を設けたので、カード立ての機能だけでなく、カード類を際立たせる効果を持ち差別化が図れる。
【考案を実施するための最良の形態】
【０００６】  カフスボタンは形状や素材に関わらないが、金属、合成樹脂、ガラス、布、ゴム、木、象牙、石等をプレス、カット、削り、曲げ、つなぎ等の技術を用いて成形する方法が好ましい。  留め具の形状は回転式のバレルクローザー式、舟形式、ラップラウンド式、チェーン式、一体型のバーベル式、スナップ式などである。  切り込みは、素材をカットしたものや素材を折り返したようなクリップ状やプレスにより成型された物でも良い。
また、装飾部が袖の一方のボタンホールの外側と他方のボタンホールの外側から見えるような場合は切り込みを複数入れられる。  表面加工はメッキ、塗装、蒸着、印刷、彫刻、刺繍、七宝、樹脂入れ、レーザーマーキングなどによる方法を用い、文字、図柄、模様、色等の装飾を表現する。
【実施例】
【０００７】  以下、添付図面に従って実施例を説明する。
図１〜図４は本考案のカード立て兼用カフスボタン本体（切り込み１つタイプ）の実施例である。図５〜図６は本考案のカード立て兼用カフスボタン本体（切り込み２つタイプ）の実施例である。【０００８】  １は金属等適宜素材にて形成されたカード立て兼用カフスボタン本体（切り込み１つタイプ）である。３の装飾部と４の回転式留め具からなっており、装飾部の上部に５の切り込みを１ヶ所設ける。【０００９】  ２は金属等適宜素材にて形成されたカード立て兼用カフスボタン本体（切り込み２つタイプ）である。装飾部は留め具としての機能を兼ね備えたバーベルのような形をしている。２ヶ所ある装飾部のそれぞれの上部に５の切り込みを設ける。
１と２について、６の図柄はＣＳのロゴマークであるが限定せず、文字、図柄、写真、色等の装飾を入れられ、また、切り込みを１ヶ所設けることが出来る。【００１０】  図１は、カード立て兼用カフスボタン本体（切り込み一つタイプ）１を示す斜視図である。【００１１】  図２は、図１に示すカード立て兼用カフスボタン本体（切り込み一つタイプ）１をシャツの袖７のボタンホール８に留め具４の回転部を装飾部に対して垂直の方向に回転させ差し込み、回転部を装飾部に対して平行に戻し、カフスボタンとして装着した通常通りのカフスボタンの使用例である。【００１２】  図３は、１に実際にカード９を差し込み、立てた使用例である。
切り込み５は、１を水平面に設置したときに垂直面に対して傾斜するよう設けたのでカードに書かれた内容が識別しやすい。また、カフスボタンの装飾部３にはロゴマークが施されており、差し込むカードとして選んだショップカードにも同じロゴマークが印刷されているので一体感を持ち、相乗効果により、良いイメージを与える。更に、カードが立てられることにより、目印となり紛失の防止に役立つ。【００１３】  図４は、１を一対使い、一枚のカードを差し込み、立てた使用例である。ふたつのカフスボタンを同時に使うことにより、カードがより安定する。また、装飾部が２ヶ所と増えたので、装飾の効果が高まる。更に、差し込むカードとして名刺を選んだので、ネームプレートとしても利用できる。【００１４】  図５は、カード立て兼用カフスボタン本体（切り込み２つタイプ）２の斜視図である。【００１５】  図６は、図５に示すカード立て兼用カフスボタン本体（切り込み２つタイプ）２のそれぞれの切り込み５にカード９を差し込み、立てた使用例である。左右の両方向からカードを見られるようになり、カードを見る機会が増す。また、より多くの人の眼をカードに振り向かせる効果を生む。
【産業上の利用可能性】
【００１６】  カフスボタンは通常、他のアクセサリーと同様でシャツなどに着用しているとき以外は、ポケットやデスクや棚の上など、次の着用まで、様々な所に置かれる。  また、一人が同時に、袖口のボタンホール数以上のカフスボタンを着用することは出来無い。本考案を利用することにより、シャツなどに着用していない時間や期間を有効に利用できるばかりでなく、カフスボタンとして利用しない場合もカード立てとしてのみ利用できる。また、カフスボタンに差し込んだ名刺等のカード類で自己のものだと識別でき、会議などに使用すれば名札としても利用出来る。更に、ショップカードや商品カードなどを差し込めばＰＲとして利用出来るという利点がある。カフスボタンはネクタイ同様にプレゼントとして購入れることが多く、プレゼントをする購入者はプレゼントを贈られる利用者に対し、より多くの機会や時間の使用を願うものである。  本考案のカフスボタン兼カード立ては、利用する場所を自宅や職場、デスクや棚など限定せず、いつでもどこでも使用でき、プレゼントする者は、写真やメッセージカードなどと一緒に贈れば、利用者はカフスボタンの装着可能なシャツ等を着用していなくても、すぐにカード立てとして使用できる。
【図面の簡単な説明】
【００１７】
【図１】本考案のカード立て兼用カフスボタン本体（切り込み１つタイプ）の実施例を示す斜視図である。
【図２】本考案のカード立て兼用カフスボタン本体（切り込み１つタイプ）を袖に装着した状態を示す斜視図である。
【図３】本考案のカード立て兼用カフスボタン本体（切り込み１つタイプ）をひとつ使い、カードを立てた状態を示す斜視図である。
【図４】本考案のカード立て兼用カフスボタン本体（切り込み１つタイプ）を一対使い、カードを立てた状態の斜視図である。
【図５】本考案のカード立て兼用カフスボタン本体（切り込み２つタイプ）の実施例を示す斜視図である。
【図６】本考案のカード立て兼用カフスボタン本体（切り込み２つタイプ）の二つの切り込みにそれぞれカードを立てた状態の側面図である。
【符号の説明】
【００１８】  １  カード立て兼用カフスボタン本体（切り込み一つタイプ）
２  カード立て兼用カフスボタン本体（切り込み二つタイプ）
３  装飾部
４  留め具
５  切り込み
６  図柄
７  シャツの袖
８  ボタンホール
９  カード
【図１】
0003144492.tif 000003
【図２】
0003144492.tif 000004
【図３】
0003144492.tif 000005
【図４】
0003144492.tif 000006
【図５】
0003144492.tif 000007
【図６】
0003144492.tif 000008
【手続補正書】
【提出日】平成20年6月19日(2008.6.19)
【手続補正１】
【補正対象書類名】明細書
【補正対象項目名】０００９
【補正方法】変更
【補正の内容】
【０００９】
2は金属等適宜素材にて形成されたカード立て兼用カフスボタン本体（切り込み2つタイプ）である。装飾部は留め具としての機能を兼ね備えたバーベルのような形をしている。2ヶ所ある装飾部のそれぞれの上部に5の切り込みを設ける。1と2について、6の図柄はAのロゴマークであるが限定せず、文字、図柄、写真、色等の装飾を入れられる。
【手続補正２】
【補正対象書類名】図面
【補正対象項目名】図１
【補正方法】変更
【補正の内容】
【図１】
0003144492.tif 000009
【手続補正３】
【補正対象書類名】図面
【補正対象項目名】図２
【補正方法】変更
【補正の内容】
【図２】
0003144492.tif 000010
【手続補正４】
【補正対象書類名】図面
【補正対象項目名】図３
【補正方法】変更
【補正の内容】
【図３】
0003144492.tif 000011
【手続補正５】
【補正対象書類名】図面
【補正対象項目名】図４
【補正方法】変更
【補正の内容】
【図４】
0003144492.tif 000012
【手続補正６】
【補正対象書類名】図面
【補正対象項目名】図５
【補正方法】変更
【補正の内容】
【図５】
0003144492.tif 000013